【事件の表示】
　特願２０１７−５１９５４６「ＲＦＩＤデバイスにおける電力の獲得」拒絶査定不服審判事件〔平成２８年　４月１４日国際公開、ＷＯ２０１６／０５５６６３、平成２９年１２月２１日国内公表、特表２０１７−５３８１８８、請求項の数（２４）〕について、次のとおり審決する。
【結　論】
　原査定を取り消す。
　本願の発明は、特許すべきものとする。
【理　由】
第１　手続の経緯
　本願は，２０１５年（平成２７年）１０月１２日（パリ条約による優先権主張外国庁受理２０１４年１０月１０日，米国，２０１５年５月１４日，英国）を国際出願日とする出願であって，令和１年１１月１３日付けで拒絶理由が通知され，令和２年５月１９日付けで手続補正がされ，令和２年８月３１日付けで拒絶査定（原査定）がされ，これに対し，令和３年１月８日に拒絶査定不服審判の請求がされ，令和３年６月２５日付けで拒絶理由（以下，「当審拒絶理由」という。）が通知され，令和３年９月８日付けで手続補正がされたものである。
第２　本願発明
　本願請求項１−２４に係る発明（以下，それぞれ「本願発明１」−「本願発明２４」という。）は，令和３年９月８日付けの手続補正で補正された特許請求の範囲の請求項１−２４に記載された事項により特定される発明であり，本願発明１は以下のとおりの発明である。
「　【請求項１】
　受動生体認証エンジンを備える受動RFIDデバイスにおいて電力を獲得するための方法であって，
　前記RFIDデバイスによって電源付きのRFID読み取り機からのコマンドを受信するステップと，
　前記RFID読み取り機が前記コマンドへの応答を待っている間に，前記RFIDデバイスによってパルス状でない連続的な無線周波数の励起場を受信するステップと，
　前記RFIDデバイスによって前記励起場から電力を獲得するステップと，
　前記励起場から抽出された電力を前記生体認証エンジンへと供給するステップと，
　前記RFID読み取り機からのコマンドへの応答に必要な処理ではない処理である，生体認証用の登録処理または生体認証における照合処理を，前記生体認証エンジンにおいて実行するステップと，
　前記RFIDデバイスによる応答待ちの期間を明らかにするステップと，
　前記期間が所定のしきい値を超えるという判断に応答して，前記処理が完了していない場合に，前記RFIDデバイスによって前記RFID読み取り機へと待ち時間延長の要求を送信するステップと
　を含む方法。」
　なお，本願発明２−２４の概要は以下のとおりである。
　本願発明２−１２は，本願発明１を減縮した発明である。
　本願発明１３は，本願発明１に対応する「受動RFIDデバイス」の発明であり，本願発明１とカテゴリ表現が異なるだけの発明である。
　本願発明１４−２４は，本願発明１３を減縮した発明である。
第３　引用文献，引用発明等
１．引用文献１について
　原査定の拒絶の理由に引用された引用文献１（特開２００９−３１８７７号公報）には，図面とともに次の事項が記載されている。（下線は当審で付したものである。）
「【００２２】
　これを更に詳述する。
　図１は，上述したように非接触ＩＣカード（以下「本ＩＣカード」と呼ぶ）１００のブロック構成図である。
【００２３】
　本ＩＣカード１００は，ＲＦインタフェース形式の違うカード用リーダ／ライタ１０，１１の通信距離内にあるとどちらとも通信できるように構成されている。ここで，図１には，同時に両方のカード用リーダ／ライタ１０，１１と通信しているように表示しているが，カード用リーダ／ライタ１０，１１に対してはサービスに依存しており，その設置状況も多様であり，必要に応じて又は外部からの指令によりどちらか一方のカード用リーダ／ライタ１０又は１１に対して通信を許容するように構成してもよい。
【００２４】
　本
ＩＣカード１００は，
カード用リーダ／ライタ１０，１１から供給される電磁波を受けるアンテナ構造体２１（具体的には複数のアンテナ２１Ａ，２１Ｂ）と，このアンテナ２１Ａ，２１Ｂからの交流電流を整流して電力を得かつ供給制御を行なう電力供給制御部として機能するパワー制御部２２と，パワー制御部２２から一次電源を得て本人認証を行なう生体認証判定部２３とを備えて
　ここで，前記アンテナ２１Ａは巻数Ａのアンテナコイルにより構成され，前記アンテナ２１Ｂは巻数Ｂのアンテナコイルにより構成されている（図１参照）。
【００２５】
　更に，本ＩＣカード１００は，各種情報処理を行なうＣＰＵ２４と，暗号化された認証処理を行なう暗号プロセッサ２５と，処理プログラムを保管するＲＯＭ２６Ａと，処理作業領域としてのＲＡＭ２６Ｂと，予め登録された個人情報や暗号化方式に用いられる鍵情報を保管するＥＥＰＲＯＭ２６Ｃを含むメモリ部２６と，カード用リーダ／ライタ１０，１１との情報の入出力を無線通信で行なうためのＲＦインタフェース部２８０及び使用する無線によって信号を切替える信号選択部２７とを備えている。」
「【００４２】
　次に，カード用リーダ／ライタ１０，１１とＩＣカード１００間の信号制御を，図４に基づいて説明する。この図４は，
カード用リーダ／ライタ１０，１１とＩＣカード１００との間の信号制御シーケンス
【００４３】
　
マスタ側として動作するリーダ／ライタ１０は，一定間隔での問合せ要求である応答待ち信号を，無線搬送波と共にスレーブ側として動作するＩＣカード１００に送る
　
ＩＣカード１００側では，この無線搬送波をアンテナ構造体２１で受信し整流して直流電力を得，生体認証判定部２３だけを起動して生体認証処理を行い，本人確認が完了した場合にパワー制御部２２に給電許可信号を与え，本ＩＣカード１００の他のＣＰＵなどの機能部を起動し，マスタ側であるカード用リーダ／ライタ１０，１１へ通常行なう相互認証処理を開始する為の応答信号を返すことによってマスタ側へ通知する
マスタ側は，ＡＣＫ（了解）信号を返信して通常の暗号化処理による相互認証処理シーケンスへ移行する
【００４４】
　ここで，相互認証処理とは，ＩＣカード１００とカード用リーダ／ライタ１０，１１が共に不正なものではなく正規のものであることを何らかの方法で認証する処理をいう。
【００４５】
〔第１実施形態の効果〕
　この第１の実施形態では，上述したように，アンテナ巻線２１Ａおよびパワー制御部２２Ａを稼働させて先ず生体認証判定部２３だけを起動して生体認証処理を行い，本人確認が完了した場合にパワー制御部２２Ａによって他の構成各部への給電許可を与えるようにしたので，ＩＣカード１００の所持者が本人であることを認証されることを前提として，無線周波数等のＲＦインタフェースの異なる内容のＩＣカードを統合化して一のＩＣカード１００にしたものが有効に機能する構成とした。このため，この第１の実施形態によると，この多様化したＩＣカードの一元化によって管理面や携帯面の利便性が向上すると同時にカードの盗難や紛失などに際しても高い安全性が得られるという従来にない優れた非接触ＩＣカードを提供することができる。
【００４６】
　即ち，上記第１の実施形態におると，以下に示す効能を奏する。
　第一の効果として，カードの所持者が本人であることを認証しない限りカードとして一切動作しないので，カードの盗難，紛失などに際して高い安全性が得られる。第二の効果として，無線周波数等のＲＦインタフェースの異なるＩＣカードの統合化までが可能になり，多様化するカードの一元化によって管理面や携帯面の利便性が向上する。」
「図１
」
「図４
」
　したがって，上記引用文献１（特に下線部の記載）には次の発明（以下，「引用発明」という。）が記載されていると認められる。
「ＩＣカード１００は，カード用リーダ／ライタ１０，１１から供給される電磁波を受けるアンテナ構造体２１（具体的には複数のアンテナ２１Ａ，２１Ｂ）と，このアンテナ２１Ａ，２１Ｂからの交流電流を整流して電力を得かつ供給制御を行なう電力供給制御部として機能するパワー制御部２２と，パワー制御部２２から一次電源を得て本人認証を行なう生体認証判定部２３とを備えており，（段落００２４，図１）
　カード用リーダ／ライタ１０，１１とＩＣカード１００との間の信号制御シーケンスでは，（段落００４２，図４）
　マスタ側として動作するリーダ／ライタ１０は，一定間隔での問合せ要求である応答待ち信号を，無線搬送波と共にスレーブ側として動作するＩＣカード１００に送り，（段落００４３，図４）
　ＩＣカード１００側では，この無線搬送波をアンテナ構造体２１で受信し整流して直流電力を得，（段落００４３，図４）
　生体認証判定部２３だけを起動して生体認証処理を行い，（段落００４３，図４）
　本人確認が完了した場合にパワー制御部２２に給電許可信号を与え，（段落００４３，図４）
　本ＩＣカード１００の他のＣＰＵなどの機能部を起動し，（段落００４３，図４）
　マスタ側であるカード用リーダ／ライタ１０，１１へ通常行なう相互認証処理を開始する為の応答信号を返すことによってマスタ側へ通知し，（段落００４３，図４）
　マスタ側は，ＡＣＫ（了解）信号を返信して通常の暗号化処理による相互認証処理シーケンスへ移行する。（段落００４３，図４）」
２．引用文献２について
　原査定の拒絶の理由に引用された引用文献２（特開２０１１−２８３８１号公報）には，図面とともに次の事項が記載されている。（下線は当審で付したものである。）
「【００３３】
　図３は，同実施形態における
非接触ＩＣカード１００がリーダライタ装置２００と通信を行う際の非接触ＩＣカード１００の通信処理
　非接触ＩＣカード１００は，リーダライタ装置２００が発生する電界及び磁界をループアンテナ１０１が捉えて，
カード制御部１１０が電力供給部１０２から供給される電力により動作できる動作可能領域に位置するように挿入されると（ステップＳｔ１０１），カード制御部１１０が，
初期化処理を行う（ステップＳｔ１０２）
【００３４】
　
カード制御部１１０は，初期化処理の後，無線通信部１０５がリーダライタ装置２００から起動要求を示すＲＥＱＢ（Request command type B）コマンド又はＷＵＰＢ（Wake Up command type B）コマンドを受信するまで待機させ（ステップＳｔ１０３），ＲＥＱＢコマンド又はＷＵＰＢコマンドを受信してリンクを確立させる（ステップＳｔ１０４）
　このＲＥＱＢコマンド及びＷＵＰＢコマンドは，非接触ＩＣカード１００がリーダライタ装置２００と通信可能であり，動作可能領域に位置しているか否かを検出するためのコマンドである。リーダライタ装置２００において，リーダライタ制御部２０１は，予め定められた時間間隔でＲＥＱＢコマンド又はＷＵＰＢコマンドを無線通信部２０４がループアンテナ２０６を介して非接触ＩＣカード１００に送信するように制御をしている。
【００３５】
　
無線通信部１０５は，リーダライタ装置２００からＳｅｌｅｃｔコマンドを示す第１コマンドを受信すると，受信したＳｅｌｅｃｔコマンドに含まれる利用用途を示す情報をカード制御部１１０に出力する
カード制御部１１０は，無線通信部１０５が出力した利用用途を示す情報に対応する判定要否情報を読み出し，認証処理が必要か否かの判定をする判定要否処理を行う（ステップＳｔ１０６）
【００３６】
　判定要否情報が判定不要を示す場合（ステップＳｔ１０６：判定不要），後述のステップＳｔ１１５以降の動作が行われる。
　一方，
判定要否情報が判定要を示す場合（ステップＳｔ１０６：判定要），カード制御部１１０は，ＲＡＭ１０７から認証フラグ情報を読み出し（ステップＳ１０７）（当審注：「ステップＳ１０７」は「ステップＳｔ１０７」の誤記である。），
認証フラグ情報がロック状態を示す場合（ステップＳｔ１０７：ロック状態），受信した第１コマンドをＲＡＭ１０７に記憶させる（ステップＳｔ１０８）
【００３７】
　
カード制御部１１０は，無線通信部１０５及びループアンテナ１０１を介してリーダライタ装置２００にＷＴＸ（Waiting Time Extension）コマンドを送信し（ステップＳｔ１０９），センサ部１０９を初期化して非接触ＩＣカード１００に加えられる動作の検出を開始させる（ステップＳｔ１１０）
　
このＷＴＸコマンドは，リーダライタ制御部２０１に対して第１コマンドに対する応答を示す情報を送信するまでの待ち時間の延長を要求するコマンドである
カード制御部１１０は，ＷＴＸコマンドをリーダライタ装置２００に送信することにより，認証処理を行っている最中に第１コマンドに対する応答の待ち時間を延長して，待ち時間が満了することによりリンクが断たれることを防ぐ
　なお，
カード制御部１１０は，第１コマンドを実行して，第１コマンドに対する応答をリーダライタ装置２００に送信するまで，第１コマンドに対する応答の待ち時間が満了しないように，一定間隔ごとにＷＴＸコマンドをリーダライタ装置２００に送信する。
「図３
」
　したがって，上記引用文献２（特に下線部の記載）には次の発明（以下，「引用文献２発明」という。）が記載されていると認められる。
「　非接触ＩＣカード１００がリーダライタ装置２００と通信を行う際の非接触ＩＣカード１００の通信処理であって，（段落００３３，図３）
　カード制御部１１０が電力供給部１０２から供給される電力により動作できる動作可能領域に位置するように挿入されると（ステップＳｔ１０１），カード制御部１１０が初期化処理を行い（ステップＳｔ１０２），（段落００３３，図３）
　カード制御部１１０は，初期化処理の後，無線通信部１０５がリーダライタ装置２００から起動要求を示すＲＥＱＢ（Request command type B）コマンド又はＷＵＰＢ（Wake Up command type B）コマンドを受信するまで待機させ（ステップＳｔ１０３），ＲＥＱＢコマンド又はＷＵＰＢコマンドを受信してリンクを確立させ（ステップＳｔ１０４），（段落００３４，図３）
　無線通信部１０５は，リーダライタ装置２００からＳｅｌｅｃｔコマンドを示す第１コマンドを受信すると，受信したＳｅｌｅｃｔコマンドに含まれる利用用途を示す情報をカード制御部１１０に出力し，カード制御部１１０は，無線通信部１０５が出力した利用用途を示す情報に対応する判定要否情報を読み出し，認証処理が必要か否かの判定をする判定要否処理を行い（ステップＳｔ１０６），（段落００３５，図３）
　判定要否情報が判定要を示す場合（ステップＳｔ１０６：判定要），カード制御部１１０は，ＲＡＭ１０７から認証フラグ情報を読み出し（ステップＳｔ１０７），（段落００３６，図３）
　認証フラグ情報がロック状態を示す場合（ステップＳｔ１０７：ロック状態），受信した第１コマンドをＲＡＭ１０７に記憶させ（ステップＳｔ１０８）（段落００３６，図３）
　カード制御部１１０は，無線通信部１０５及びループアンテナ１０１を介してリーダライタ装置２００にＷＴＸ（Waiting Time Extension）コマンドを送信し（ステップＳｔ１０９），センサ部１０９を初期化して非接触ＩＣカード１００に加えられる動作の検出を開始させ（ステップＳｔ１１０），（段落００３７，図３）
　このＷＴＸコマンドは，リーダライタ制御部２０１に対して第１コマンドに対する応答を示す情報を送信するまでの待ち時間の延長を要求するコマンドであり，カード制御部１１０は，ＷＴＸコマンドをリーダライタ装置２００に送信することにより，認証処理を行っている最中に第１コマンドに対する応答の待ち時間を延長して，待ち時間が満了することによりリンクが断たれることを防ぐものであり，（段落００３７，図３）
　カード制御部１１０は，第１コマンドを実行して，第１コマンドに対する応答をリーダライタ装置２００に送信するまで，第１コマンドに対する応答の待ち時間が満了しないように，一定間隔ごとにＷＴＸコマンドをリーダライタ装置２００に送信する。（段落００３７，図３）」
第４　対比・判断
１．本願発明１について
（１）対比
　本願発明１と引用発明とを対比すると，次のことがいえる。
ア（ア）引用発明の「本人認証を行なう生体認証判定部２３」は「カード用リーダ／ライタ１０，１１から供給される電磁波」からの「電力」を得て「本人認証」の動作を行うものであって，「受動」的に動作するものであるから，本願発明１の「受動生体認証エンジン」に相当する。
　また，引用発明の「ＩＣカード１００」は，同様に，「カード用リーダ／ライタ１０，１１から供給される電磁波」からの「電力」を得て「受動」的に動作するものであるから，本願発明１の「受動RFIDデバイス」に相当する。
　したがって，引用発明の「生体認証判定部２３」を備える「ＩＣカード１００」は，本願発明１の「受動生体認証エンジンを備える受動RFIDデバイス」に相当する。
（イ）引用発明の「カード用リーダ／ライタ１０，１１とＩＣカード１００との間の信号制御シーケンス」は，「ＩＣカード１００」において，「無線搬送波をアンテナ構造体２１で受信し整流して直流電力を得」るというシーケンスを含むものであるから，本願発明１の「電力を獲得するための方法」に対応するものである。
（ウ）上記（ア），（イ）の検討から，引用発明と本願発明１とは，後記する相違点で相違するものの，“受動生体認証エンジンを備える受動RFIDデバイスにおいて電力を獲得するための方法”である点で共通する。
イ　引用発明の「マスタ側として動作するリーダ／ライタ１０」は，“電源付き”であることは自明であるから，本願発明１の「電源付きのRFID読み取り機」に相当する。
　そして，引用発明の「リーダ／ライタ１０」から「無線搬送波と共に」送信され，「ＩＣカード１００」側で受信される「一定間隔での問合せ要求である応答待ち信号」は，応答を要求する“コマンド”とみることができるものである。
　そうすると，引用発明の「ＩＣカード１００側」で「無線搬送波」を「受信」することは，本願発明１の「前記RFIDデバイスによって電源付きのRFID読み取り機からのコマンドを受信するステップ」に相当する。
ウ　引用発明の「無線搬送波」は，リーダ／ライタ１０から送信され，ＩＣカード１００で受信されて電力を取り出すための電磁波である点で本願発明１の「励起場」に相当するものであるから，引用発明の「ＩＣカード１００」側で「無線搬送波をアンテナ構造体２１で受信し整流して直流電力を得」ることは，本願発明１の「前記RFIDデバイスによって励起場から電力を獲得するステップ」に相当する。
エ　引用発明の「生体認証判定部２３だけを起動」することは，「生体認証判定部２３」だけに“電力を供給する”ことであるから，引用発明の「無線搬送波をアンテナ構造体２１で受信し整流して直流電力を得」，「生体認証判定部２３だけを起動」することは，本願発明１の「前記励起場から抽出された電力を前記生体認証エンジンへと供給するステップ」に相当する。
オ　引用発明の「生体認証処理」は，本願発明１の「生体認証における照合処理」に相当する。
　そして，上記「生体認証処理」は，「カード用リーダ／ライタ１０，１１」からの「一定間隔での問合せ要求である応答待ち信号」（コマンド）への「応答」に直接“必要な処理ではない処理”とみることができる。
　してみれば，引用発明の「生体認証判定部２３」を「起動」して「生体認証処理を行」うことは，本願発明１の「前記RFID読み取り機からのコマンドへの応答に必要な処理ではない処理である，生体認証における照合処理を，前記生体認証エンジンにおいて実行するステップ」に相当する。
カ　したがって，本願発明１と引用発明との間には，次の一致点，相違点があるといえる。
（一致点）
「　受動生体認証エンジンを備える受動RFIDデバイスにおいて電力を獲得するための方法であって，
　前記RFIDデバイスによって電源付きのRFID読み取り機からのコマンドを受信するステップと，
　前記RFIDデバイスによって励起場から電力を獲得するステップと，
　前記励起場から抽出された電力を前記生体認証エンジンへと供給するステップと，
　前記RFID読み取り機からのコマンドへの応答に必要な処理ではない処理である，生体認証用の登録処理または生体認証における照合処理を，前記生体認証エンジンにおいて実行するステップと，
　を含む方法。」
（相違点）
（相違点１）本願発明１は，「前記RFID読み取り機が前記コマンドへの応答を待っている間に，前記RFIDデバイスによってパルス状でない連続的な無線周波数の励起場を受信するステップ」を含むのに対して，引用発明はそのような構成となっていない点。
（相違点２）本願発明１は，「前記RFIDデバイスによる応答待ちの期間を明らかにするステップ」を含むのに対して，引用発明はそのような構成となっていない点。
（相違点３）本願発明１は，「前記期間が所定のしきい値を超えるという判断に応答して，前記処理が完了していない場合に，前記RFIDデバイスによって前記RFID読み取り機へと待ち時間延長の要求を送信するステップ」を含むのに対し，引用発明はそのような構成となっていない点。
（２）相違点についての判断
　事案に鑑み，上記相違点２及び相違点３について先に検討する。
　引用発明の「リーダ／ライタ１０」から「無線搬送波と共に」送信され，「ＩＣカード１００」側で受信される「一定間隔での問合せ要求である応答待ち信号」は，「ＩＣカード１００」からの「応答」が無くても，一定間隔で“繰り返し”送信されるものであって，所定の「応答待ちの期間」を過ぎると停止してしまうというような信号ではない。
　そうすると，引用発明の「ＩＣカード１００」は，一定間隔で“繰り返し”送信される「応答待ち信号」の「無線搬送波」から電力が十分に得られるまで，一定間隔で“繰り返し”送信される「応答待ち信号」の「無線搬送波」を“繰り返し”受信できるものであって，引用発明には，応答待ちの期間が所定のしきい値を超えるという判断に応答して，ＩＣカード１００からリーダ／ライタ１０へ「待ち時間延長の要求」を送信するという課題がないから，仮に，引用文献２に，
「　非接触ＩＣカード１００がリーダライタ装置２００と通信を行う際の非接触ＩＣカード１００の通信処理であって，（段落００３３，図３）
　カード制御部１１０が電力供給部１０２から供給される電力により動作できる動作可能領域に位置するように挿入されると（ステップＳｔ１０１），カード制御部１１０が初期化処理を行い（ステップＳｔ１０２），（段落００３３，図３）
　カード制御部１１０は，初期化処理の後，無線通信部１０５がリーダライタ装置２００から起動要求を示すＲＥＱＢ（Request command type B）コマンド又はＷＵＰＢ（Wake Up command type B）コマンドを受信するまで待機させ（ステップＳｔ１０３），ＲＥＱＢコマンド又はＷＵＰＢコマンドを受信してリンクを確立させ（ステップＳｔ１０４），（段落００３４，図３）
　無線通信部１０５は，リーダライタ装置２００からＳｅｌｅｃｔコマンドを示す第１コマンドを受信すると，受信したＳｅｌｅｃｔコマンドに含まれる利用用途を示す情報をカード制御部１１０に出力し，カード制御部１１０は，無線通信部１０５が出力した利用用途を示す情報に対応する判定要否情報を読み出し，認証処理が必要か否かの判定をする判定要否処理を行い（ステップＳｔ１０６），（段落００３５，図３）
　判定要否情報が判定要を示す場合（ステップＳｔ１０６：判定要），カード制御部１１０は，ＲＡＭ１０７から認証フラグ情報を読み出し（ステップＳ１０７），（段落００３６，図３）
　認証フラグ情報がロック状態を示す場合（ステップＳｔ１０７：ロック状態），受信した第１コマンドをＲＡＭ１０７に記憶させ（ステップＳｔ１０８）（段落００３６，図３）
　カード制御部１１０は，無線通信部１０５及びループアンテナ１０１を介してリーダライタ装置２００にＷＴＸ（Waiting Time Extension）コマンドを送信し（ステップＳｔ１０９），センサ部１０９を初期化して非接触ＩＣカード１００に加えられる動作の検出を開始させ（ステップＳｔ１１０），（段落００３７，図３）
　このＷＴＸコマンドは，リーダライタ制御部２０１に対して第１コマンドに対する応答を示す情報を送信するまでの待ち時間の延長を要求するコマンドであり，カード制御部１１０は，ＷＴＸコマンドをリーダライタ装置２００に送信することにより，認証処理を行っている最中に第１コマンドに対する応答の待ち時間を延長して，待ち時間が満了することによりリンクが断たれることを防ぐものであり，（段落００３７，図３）
　カード制御部１１０は，第１コマンドを実行して，第１コマンドに対する応答をリーダライタ装置２００に送信するまで，第１コマンドに対する応答の待ち時間が満了しないように，一定間隔ごとにＷＴＸコマンドをリーダライタ装置２００に送信する。（段落００３７，図３）」
という引用文献２発明が開示されていたとしても，引用発明に引用文献２発明を組み合わせる動機付けがあるとはいえない。
　したがって，上記相違点１について判断するまでもなく，本願発明１は，当業者であっても引用発明及び引用文献２発明に基づいて容易に発明できたものであるとはいえない。
２．本願発明２−１２について
　本願発明２−１２は，本願発明１を減縮した発明であるから，本願発明１と同じ理由により，当業者であっても，引用発明及び引用文献２発明に基づいて容易に発明できたものとはいえない。
３．本願発明１３について
　本願発明１３は，本願発明１に対応する受動RFIDデバイスの発明であり，本願発明１と同様の構成を備えるものであるから，本願発明１と同様の理由により，当業者であっても，引用発明及び引用文献２発明に基づいて容易に発明できたものとはいえない。
４．本願発明１４−２４について
　本願発明１４−２４は，本願発明１３を減縮した発明であり，本願発明１と同様の構成を備えるものであるから，本願発明１と同様の理由により，当業者であっても，引用発明及び引用文献２発明に基づいて容易に発明できたものとはいえない。
第５　原査定の概要及び原査定についての判断
　原査定は，請求項１−２４について上記引用文献１，２に記載された発明に基づいて，当業者が容易に発明できたものであるから，特許法第２９条第２項の規定により特許を受けることができないというものである。しかしながら，上記第４で判断したとおり，本願発明１−２４は，上記引用文献１，２に記載された発明に基づいて，当業者が容易に発明できたものではない。したがって，原査定を維持することはできない。
第６　当審拒絶理由について
＜特許法第３６条第６項第２号について＞
　当審では，請求項１の「前記RFID読み取り機からのコマンドへの応答に必要な処理ではない処理」とはどのような処理のことを特定しようとしているのかが不明確であるとの拒絶の理由を通知しているが，令和３年９月８日付けの補正において，「前記RFID読み取り機からのコマンドへの応答に必要な処理ではない処理である，生体認証用の登録処理または生体認証における照合処理を，前記生体認証エンジンにおいて実行するステップ」と補正された結果，この拒絶の理由は解消した。
第７　むすび
　以上のとおり，本願発明１−２４は，当業者が引用発明及び引用文献２発明に基づいて容易に発明をすることができたものではない。
　したがって，原査定の理由によっては，本願を拒絶することはできない。
　また，他に本願を拒絶すべき理由を発見しない。
　よって，結論のとおり審決する。